(57)【特許請求の範囲】
【請求項１】
略方形板状の硬質屋根材の水下側から水上側に沿って複数個の中空孔が形成され、水上側表面に中空孔まで通じるように防水溝が形成されている硬質屋根材と、硬質屋根材間の左右連結部裏面に、平面状の敷目部と敷目部の左右端部を上方に突出した防水片と敷目部の水上端を上方に突出した防水面を有する防水敷目板が形成されていることを特徴とする硬質屋根材の取付構造。
【発明の詳細な説明】
【０００１】
【産業上の利用分野】
本発明は軽量で、耐候性がよく、メンテナンスフリーの硬質屋根材の取付構造に関するものである。
【０００２】
【従来の技術】
従来、板状の硬質屋根材としては、瓦屋根材、スレート平板屋根材、セメント系平板屋根材、等がある。
【０００３】
【発明が解決しようとする課題】
しかしながら、このら屋根材は、瓦屋根材は重く作業性が悪く、スレート平板屋根材、セメント系平板屋根材は耐候性が悪く数年毎の塗装が必要であった。また、防水性が無く、アスファルトルーフィング等の防水シートで防水性を保つ構造であった。
【０００４】
【課題を解決するための手段】
本発明はこのような欠点を除去するため、略方形板状の硬質屋根材の水下側から水上側に沿って複数個の中空孔が形成され、水上側表面に中空孔まで通じるように防水溝が形成されている硬質屋根材と、硬質屋根材間の左右連結部裏面に、平面状の敷目部と敷目部の左右端部を上方に突出した防水片と敷目部の水上端を上方に突出した防水面を有する防水敷目板が形成されている硬質屋根材の取付構造を提供するものである。
【０００５】
【実施例】
以下に図面を用いて、本発明に係る硬質屋根材の取付構造について詳細に説明する。図１〜図９は本発明に係る硬質屋根材の取付構造の一実施例を示す説明図であり、硬質屋根材Ａ、防水敷目板Ｂ、パッキング材Ｐ、屋根下地α、固定具βとからなるものである。なお、屋根下地αは桟木、防水シート、野地板、垂木等からなるものである。勿論、屋根下地αとして鉄骨下地からなるものを使用しても良いものである。
【０００６】
なお、図１（ａ）、（ｂ）、図２、図３、図４は本発明に係る硬質屋根材の施工状態を示す説明図、図５（ａ）〜（ｃ）は防水敷目板図Ｂを示す説明図、６（ａ）〜（ｃ）は硬質屋根材Ａを示す説明図、図７は斜視図、図８は縦断面斜視図、図９は横断面斜視図である。
【０００７】
硬質屋根材Ａは図１〜図９に示すように化粧面１を略方形板状に形成したものであり、水下側に下連結部２、水上側に上連結部３を形成し、左右端部に相决り状の右連結部４、左連結部５を形成したものである。
【０００８】
その素材としてはセラミック板、セメント板、炭酸カルシウム板、珪酸カルシウム板、炭酸マグネシウム板、スレート板等、あるいはこれらにガラス繊維、ウィスカー、アラミド繊維、スチール繊維、炭素繊維、各種鉱物繊維、各種骨材等を混入したものを押出成形よって成形したもの、もしくは各種繊維をクロス状、三次元状に織り、これにセメント、粘土等を含浸してパネル状に成形したものを蒸気養生、あるいは焼成したもの、粘土を押出−乾燥−焼成して形成したセラミック板、等からなるものである。また、上記素材にＦＲＰ樹脂、合成樹脂、耐火シート、等のシート材を裏面等に貼着して強度、耐火性、安全性（壊れても飛散しない）を向上させたりすることも出来るものである。勿論、セラミック（磁気質）を素材として利用した場合には、セメント系建材で心配される中性化による劣化、褪色がなく、また、吸水率も極めて低い数値であり、凍結融解の恐れもなく、メンテナンスフリーで半永久的に使える硬質屋根材Ａとなる。
【０００９】
化粧面１は意匠性を向上する部分であると共に、上段の硬質屋根材Ａから流れてきた雨水等が上連結部３から浸入しないように形成した防水下地としても機能するものである。
【００１０】
下連結部２と上連結部３は上下方向において重なりあって防水性を強化する部分であると共に、屋根に段差を形成する部分でもある。
【００１１】
下連結部２と上連結部３は図１（ａ）、（ｂ）に示すように固定具βにより屋根下地αに固定されるものである。
【００１２】
右連結部４と左連結部５は図１（ｂ）に示すように連結され、縦目地部において防水性の強化、気密性の強化、施工性の強化（少々ずれても間隙が生じない）、等のために形成したものである。勿論、右連結部４と左連結部５の形状は図の反対でも良いものである。
【００１３】
なお、硬質屋根材Ａ自体は固定孔１ｂを介して固定具βにより屋根下地αに打設して固定したり、図示しないが取付金具（後記する支持具Ｃ、あるいは防水敷目板Ｂ）を利用して固定しても良いものである。
【００１４】
２ａはカバー片であり、水下側の下連結部２の中空孔Ｈの上部の化粧面１を、裏面１ａ側に図では湾曲して垂下させて形成したものであり、雨水が屋根下地α内へ浸入するもを防止するものである。
【００１５】
３ａは支持片であり、水上側の上連結部３の中空孔Ｈの下部の裏面１ａを図では湾曲して垂下させて形成したものであり、桟木上に硬質屋根材Ａを固定する際の位置決めのために形成したものである。なお、支持片３ａが裏面１ａ側に突出して形成される場合には、縦目地部裏面に形成される防水敷目板Ｂが存在する部分の支持片３ａは施工上邪魔になるので、防水敷目板Ｂの幅の１／２よりも大きく切り欠いて形成されているものである。
【００１６】
防水溝３ｂは硬質屋根材Ａの水上側表面に中空孔まで通じるように形成され、万が一に内部に浸入した雨水を中空孔Ｈを介して下段の硬質屋根材Ａに流下させ、外部に排水するものである。勿論、夏期等に硬質屋根材Ａ内部の温度を低下させるための、排気路としても機能するものである。
【００１７】
Ｈは中空孔であり、水下側から水上側へ貫通した空間であり、押出成型時に形成するものである。この中空孔Ｈは夏期の屋根面の温度上昇を抑え、家屋内の温度上昇を防止すると共に、万が一の雨水の浸入をこの中空孔Ｈより下段の硬質屋根材Ａの化粧面１上に排水し、防水性を強化するものである。
【００１８】
パッキング材Ｐは横目地部分あるいは縦目地部分、もしくは固定具βの頭部分から雨水が浸入しないように形成したものであり、定型で弾性のあるパッキング材Ｐとしては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているものであり、主に耐候性、耐酸性、耐水性、防水性、気密性、等の機能として有用なものである。また、これらの成分の中に、耐火性、防火性を有する例えばポリリン酸アンモニウム、水酸化アルミニウム、フェノール樹脂粒、カーボンブラック、グラファイト（発泡、非発泡）等の難燃材を混入することも出来る。
【００１９】
防水敷目板Ｂは例えば図５（ａ）〜（ｃ）に示すように、平面状の敷目部６と敷目部６の左右両端部を上方に突出した防水片７と敷目部６の水上端を上方に突出した防水面８とから断面凹状に形成したものである。
【００２０】
敷目部６は縦目地部の裏面に図１（ｂ）、図２、図３に示すように形成されるものであり、上部の硬質屋根材Ａの裏面に図２、図３に示すように配置されて上下の硬質屋根材Ａ間に挟持されるものである。なお、図６（ｂ）に示すように硬質屋根材Ａの長さをＬ、図５（ａ）に示すように防水敷目板Ｂの長さをｌとすると、Ｌ＝ｌの関係が望ましいものである。勿論、硬質屋根材Ａの重なり寸法により、Ｌ＞ｌ、Ｌ＜ｌの関係でも良いものである。
【００２１】
防水片７と防水面８は共に、縦目地部から浸入した雨水等が防水敷目板Ｂを乗り越えて屋根下地αまで浸入しないように形成し、雨漏り防止、屋根下地αの腐食防止のために形成したものである。
【００２２】
その素材としては、アルミニウム、ステンレス、スチール、銅等の各種鋼板、あるいはプラスチック樹脂、ＦＲＰ樹脂等をプレス成形、押出成形等して形成したものである。
【００２３】
以上説明したのは、本発明に係る硬質屋根材の取付構造の一実施例であり、図１０（ａ）〜（ｌ）〜図２２（ａ）〜（ｄ）に示すように形成することも出来るものである。
【００２４】
図１０（ａ）〜（ｌ）〜図１５は硬質屋根材Ａのその他の実施例を示す説明図であり、特に図１０（ｄ）〜（ｆ）は支持片３ａを上方に形成し、防水片３ｃとして防水性を強化した硬質屋根材Ａ、図１０（ｉ）は上部の硬質屋根材Ａの施工位置を示す施工目印３ｄを形成した硬質屋根材Ａである。
【００２５】
図１１（ａ）、（ｂ）、図１２（ａ）、（ｂ）は防水片３ｃを形成した硬質屋根材Ａの施工状態を示す断面図と、密実体の硬質屋根材Ａの施工状態を示す断面図である。
【００２６】
図１３（ａ）〜（ｍ）〜図１４（ａ）〜（ｍ）は硬質屋根材Ａの横断面図のその他の実施例を示す断面図である。また、図１５は硬質屋根材Ａ間にパッキング材Ｐを形成しない場合の構造を示す断面図である。
【００２７】
勿論、新生瓦のように、硬質屋根材Ａの上下方向の重なりを硬質屋根材Ａの幅の１／２以上として防水性を強化することも出来るものである。
【００２８】
図１６（ａ）〜（ｃ）〜図１９（ａ）〜（ｄ）は防水敷目板Ｂのその他の実施例を示す説明図である。なお、図１７（ａ）〜（ｄ）〜図１９（ａ）〜（ｄ）において、（ｂ）図は（ａ）図の断面図、（ｄ）図は（ｃ）図の断面図である。また、８ａは固定片であり、防水敷目板Ｂを屋根下地αに固定する部分である。
【００２９】
図２０（ａ）、（ｂ）は硬質屋根材Ａを図２１に示すように固定するための支持具Ｃを示すものであり、平面状の固定面９と、固定面９に形成した固定孔１０と、固定面９の一端もしくは途中を垂直に屈曲した立ち上がり片１１と、立ち上がり片１１の先端を固定面９と平行に屈曲した左右両方の押さえ片１２と、押さえ片１２の先端をＬ字状に形成した嵌合片１３と、嵌合片１３と押さえ片１２とからなる断面略コ字状の嵌合溝１４とから形成したものである。また、その素材や成形方法は前記した防水敷目板Ｂと同様なものである。
【００３０】
固定面９は２１に示すように、屋根下地αに固定具βを介して支持具Ｃを固定することにより硬質屋根材Ａを固定する部分であり、立ち上がり部１１をガイドとして下段の硬質屋根材Ａの上連結部３を押さえ片１２でバタつかないように支持・固定するものである。
【００３１】
嵌合片１３と嵌合溝１４は硬質屋根材Ａの下連結部２の中空孔Ｈに挿入されて一体化し、上段の硬質屋根材Ａの下端部を固定するための部分である。
【００３２】
勿論、固定具βによる硬質屋根材Ａのへの直接の打設と、支持具Ｃによる固定の両方で施工したり、または、支持具Ｃのみで硬質屋根材Ａを施工することにより、硬質屋根材Ａを直接打設しなくとも固定することが出来るものである。
【００３３】
【発明の効果】
上述したように、本発明に係る硬質屋根材の取付構造によれば、硬質屋根材に中空孔を形成したために、▲１▼防水性が向上する。▲２▼夏期の屋根面の温度上昇を抑制出来る。▲３▼軽量化が図れる。▲４▼セラミック板では耐光性が良い。カバー片を形成したために、▲５▼防水性が向上する。▲６▼中空孔が外部から見えない。さらに、防水敷目板を形成したために、縦目地部の防水性が向上する。等の特徴、効果がある。
【図面の簡単な説明】
【図１】本発明に係る硬質屋根材の取付構造の施工状態を示す説明図である。
【図２】本発明に係る硬質屋根材の取付構造の施工状態を示す説明図である。
【図３】本発明に係る硬質屋根材の取付構造の施工状態を示す説明図である。
【図４】本発明に係る硬質屋根材の取付構造の施工状態を示す説明図である。
【図５】本発明に係る硬質屋根材の取付構造に使用する防水敷目板の代表的な一例を示す説明図である。
【図６】本発明に係る硬質屋根材の取付構造に使用する硬質屋根材の代表的な一例を示す説明図である。
【図７】本発明に係る硬質屋根材の取付構造に使用する硬質屋根材の代表的な一例を示す説明図である。
【図８】本発明に係る硬質屋根材の取付構造に使用する硬質屋根材の代表的な一例を示す説明図である。
【図９】本発明に係る硬質屋根材の取付構造に使用する硬質屋根材の代表的な一例を示す説明図である。
【図１０】硬質屋根材のその他の実施例を示す説明図である。
【図１１】本発明に係る硬質屋根材の取付構造のその他の実施例を示す説明図である。
【図１２】本発明に係る硬質屋根材の取付構造のその他の実施例を示す説明図である。
【図１３】硬質屋根材のその他の実施例を示す説明図である。
【図１４】硬質屋根材のその他の実施例を示す説明図である。
【図１５】本発明に係る硬質屋根材の取付構造のその他の実施例を示す説明図である。
【図１６】防水敷目板のその他の実施例を示す説明図である。
【図１７】防水敷目板のその他の実施例を示す説明図である。
【図１８】防水敷目板のその他の実施例を示す説明図である。
【図１９】防水敷目板のその他の実施例を示す説明図である。
【図２０】支持具のその他の実施例を示す説明図である。
【図２１】本発明に係る硬質屋根材の取付構造のその他の実施例を示す説明図である。
【図２２】支持具のその他の実施例を示す説明図である。
【符号の説明】
Ａ  硬質屋根材
Ｂ  防水敷目板
Ｃ  支持具
Ｈ  中空孔
Ｐ  パッキング材
α  屋根下地
β  固定具
１  化粧面
１ａ  裏面
１ｂ  固定孔
２  下連結部
２ａ  カバー片
３  上連結部
３ａ  支持片
３ｂ  防水溝
３ｃ  防水片
３ｄ  施工目印
４  右連結部
５  左連結部
６  敷目部
７  防水片
８  防水面
８ａ  固定片
９  固定面
１０  固定孔
１１  立ち上がり片
１２  押さえ片
１３  嵌合片
１４  嵌合溝
【図１】
0004808876.tif 000002
【図２】
0004808876.tif 000003
【図３】
0004808876.tif 000004
【図４】
0004808876.tif 000005
【図５】
0004808876.tif 000006
【図６】
0004808876.tif 000007
【図７】
0004808876.tif 000008
【図８】
0004808876.tif 000009
【図９】
0004808876.tif 000010
【図１０】
0004808876.tif 000011
【図１１】
0004808876.tif 000012
【図１２】
0004808876.tif 000013
【図１３】
0004808876.tif 000014
【図１４】
0004808876.tif 000015
【図１５】
0004808876.tif 000016
【図１６】
0004808876.tif 000017
【図１７】
0004808876.tif 000018
【図１８】
0004808876.tif 000019
【図１９】
0004808876.tif 000020
【図２０】
0004808876.tif 000021
【図２１】
0004808876.tif 000022
【図２２】
0004808876.tif 000023